(57)【要約】【課題】  電圧変換のための回路と電圧制御のための回路を連携させることにより、電源を小型軽量化し、バイブレータ装置の一個あたりの重量を軽減する。【解決手段】  小型電池からの供給電圧を少なくとも３ボルト以上の直流電圧に変換する直流昇圧回路と、この直流昇圧回路の出力に基づいて、当該出力を少なくとも１００ボルト以上の高電圧に昇圧変換する高電圧発生回路とを備え、当該高電圧発生回路は、前記直流昇圧回路の出力を利用する可変パルス発生部と、前記直流昇圧回路の出力をインダクタへの入力として利用する電圧変換部とを備え、インダクタの出力端子とトランジスタのコレクタ端子とを接続する一方、前記可変パルス発生部の出力を、電圧変換部に配するトランジスタのベースに印可して、トランジスタの後段にコンデンサを設ける。【選択図】    図１
2005185572.tif 000002
【特許請求の範囲】
【請求項１】
小型電池の昇圧および電圧制御を行うバイブレータ用の回路であって、
小型電池からの供給電圧を少なくとも３ボルト以上の直流電圧に変換する直流昇圧回路と、
この直流昇圧回路の出力に基づいて、当該出力を少なくとも１００ボルト以上の高電圧に昇圧変換する高電圧発生回路とを備え、
当該高電圧発生回路は、
前記直流昇圧回路の出力を利用する可変パルス発生部と、
前記直流昇圧回路の出力をインダクタへの入力として利用する電圧変換部とを備え、インダクタの出力端子とトランジスタのコレクタ端子とを接続する一方、前記可変パルス発生部の出力を、電圧変換部に配するトランジスタのベースに印可して、トランジスタの後段にコンデンサを設けることを特徴とするバイブレータの昇圧制御回路。
【発明の詳細な説明】
【技術分野】
【０００１】
本発明は、腹部などの体脂肪に高電圧パルス振動を与える痩身用のバイブレータ装置に係り、とくに身体に密着させるバイブレータ本体の高電圧発生回路の構成を簡素化／軽量化させる技術に関する。
【背景技術】
【０００２】
腹部などの体脂肪に高電圧パルスの振動を与えて体脂肪を減少させる器具は従来から各種提案されている（例えば特開２００３−０００６６８号）。これらの装置は、例えば、腹部に装着するベルトと、ベルトに装着するバイブレータとを備え、バイブレータにおいて発生させる高圧パルスの振動によって身体の体脂肪に刺激を与えて体脂肪を激しく運動させ分解する構成をとる。
【０００３】
このような痩身用のバイブレータ装置は、小型電池と昇圧回路を備える一方、昇圧回路における高電圧変換と電圧制御を行うための外部装置を備えている。外部装置は、例えば赤外光を利用したリモートコントローラであり、このリモートコントローラは、振動を与える高圧パルスの電圧とパルス発生のタイミングを制御する。
【０００４】
リモートコントローラに基づく、このような制御を実行するため、バイブレータ本体のケース内部には、当然ながら電圧変換回路と電圧制御回路が収められるわけであるが、従来のバイブレータ装置は、電圧変換のための回路と電圧制御のための回路が独立的に設けられていた。
【特許文献１】特開２００３−０００６６８号
【発明の開示】
【発明が解決しようとする課題】
【０００５】
問題は、従来のバイブレータ装置のように、電圧変換のための回路と電圧制御のための回路を独立的に設けると、回路構成が複雑になり、バイブレータ装置一個あたりの重量が確実に増大する点にある。
【０００６】
そこで、本発明の目的は、電圧変換のための回路と電圧制御のための回路を連携させることにより、電源を小型軽量化し、バイブレータ装置の一個あたりの重量を軽減することにある。
【課題を解決するための手段】
【０００７】
前記目的を達成するため、本発明に係るバイブレータの昇圧制御回路は、小型電池からの供給電圧を少なくとも３ボルト以上の直流電圧に変換する直流昇圧回路と、この直流昇圧回路の出力に基づいて、当該出力を少なくとも１００ボルト以上の高電圧に昇圧変換する高電圧発生回路とを備え、当該高電圧発生回路は、前記直流昇圧回路の出力を利用する可変パルス発生部と、前記直流昇圧回路の出力をインダクタへの入力として利用する電圧変換部とを備え、インダクタの出力端子とトランジスタのコレクタ端子とを接続する一方、前記可変パルス発生部の出力を、電圧変換部に配するトランジスタのベースに印可して、トランジスタの後段にコンデンサを設ける。
【発明の効果】
【０００８】
本発明に係るバイブレータの昇圧制御回路は、直流電圧を変換するインダクタを利用し、このインダクタを流れる電流を、トランジスタのベースに印可する可変パルスによってオンオフ制御することにより、インダクタおよびトランジスタの下流における電圧を自由に調整制御可能とするものである。
【０００９】
すなわち、高電圧の発生だけならばインダクタに流れる電源をオンオフ制御することによって達成できるが、本発明は、トランジスタのベースに可変パルスを印可する構成である。このため、パルスの周期またはパルス幅を変えることにより、インダクタおよびトランジスタの下流における高電圧発生と電圧値の変更制御を単一の回路構成によって実現することが出来る。このため、簡単な回路構成でありながら装置をより小型軽量化することが可能となる。
【発明を実施するための最良の形態】
【００１０】
図２は、本発明に係るバイブレータの昇圧制御回路を例示すものである。この昇圧回路は、電源として１．２〜１．５Ｖ程度の小型電池１１、例えば充電可能なニッケル水素電池を一個だけ使用する。従来のバイブレータ装置のように、複数の電池を使用し、電池の出力を３〜３．６Ｖと高く設定する必要はない。
【００１１】
１２は、直流昇圧回路である。この直流昇圧回路１２は、最も簡単には、例えば、インダクタを直流／直流変圧器として用いる。このような直流昇圧回路１２を用いれば、電源が１．２Ｖの小型電池１１一個でも、直流昇圧回路１２の出力では約５Ｖ前後の電圧を容易に得ることが出来る。
【００１２】
２０は、直流昇圧回路１２の出力に基づいて、当該出力を少なくとも１００ボルト以上の高電圧に変換する高電圧発生回路である。この高電圧発生回路２０は、例えば図１に示すように、５Ｖ程度である直流昇圧回路１２の出力（Ｅ１）を入力とするインダクタ２１、当該インダクタ２１の出力とコレクタ接続するトランジスタ２３を備える。なお、直流昇圧回路１２の他方の端子はトランジスタ２３のエミッタに接続する。またトランジスタ２３のコレクタの下流には逆流防止用のダイオード２５を配し、ダイオード２５およびトランジスタ２３のエミッタの下流にはコンデンサ２６を配しておく。
【００１３】
２８は、トランジスタ２３のベースに可変パルスを印可する可変パルス発生部である。この可変パルス発生部２８は、外部のリモートコントローラ装置からのコマンド信号に基づいて、発生パルスの周期またはパルス幅を任意に調整できるものである。
【００１４】
可変パルス発生部２８の電源は、インダクタ２１と同様に、直流昇圧回路１２の出力（Ｅ１）を利用する。可変パルス発生部２８は、発生パルスの周期またはパルス幅を任意に変更できるだけの機能をもてば良い。
【００１５】
図２に戻り、符号３０は、高電圧発生回路２０の出力をさらに高める簡易な電圧調整回路である。この電圧調整回路３０は、高電圧発生回路２０の出力を数倍、例えば２〜３倍に増幅できる程度の機能をもてば良い。このような機能をもつ電圧調整回路３０としては、例えばコッククロフト・ウォルトン回路など周知の回路構成をとることが出来る。
【００１６】
図３、図４は、可変パルス発生部２８の出力と、トランジスタ２３の下流にあるコンデンサ２６の下流側電圧（Ｅ２）の関係を例示するものである。図３は、可変パルス発生部２８の出力であるパルス周期と、コンデンサ２６の下流側電圧（Ｅ２）との関係であり、パルスの発生周期を高めるほど、すなわちパルスの発生タイミングの間隔時間を短縮させるほど、コンデンサ２６の下流側電圧（Ｅ２）が高まることを例示している。図４は、可変パルス発生部２８の出力であるパルス幅と、コンデンサ２６の下流側電圧（Ｅ２）との関係であり、パルス幅を大きくするほど、すなわちパルスのＨレベルの持続時間を長くするほど、コンデンサ２６の下流側電圧（Ｅ２）が高まることを例示するものである。
【００１７】
従って、かかる構成によれば、高電圧発生回路２０内のトランジスタ２３のベースに可変パルスを制御することにより、１．２Ｖ程度の一個の小型電池１１を用いつつ、コンデンサ２６の下流においては１００Ｖ以上の高電圧を得ることが可能とり、同時に、同一回路によって電圧値を適宜の範囲、例えば３０〜１７０Ｖ程度の範囲で任意に連続可変調整することが可能となる。
【００１８】
可変パルス発生部２８の出力調整は、周期調整とパルス幅調整とを組み合わせて行うことが出来ることは当然である。
【００１９】
痩身用のバイブレータ装置の最高電圧は、３００〜３５０Ｖ前後を目安とするが、高電圧発生回路２０の出力を例えば３０〜１７０Ｖの範囲で任意に連続的に可変調整できるならば、高電圧発生回路２０の後段に簡易な電圧調整回路３０を設けることにより、装置に要求される電圧値は容易に実現できる。
【００２０】
しかも簡易なひとつの回路構成で連続的な電圧調整が可能となるため、高電圧発生と電圧調整のために複数の電池と複数の独立的な回路構成を必要とした従来製品に較べて、装置重量を格段に軽減でき、装着時の快適性を高く保証することが可能となる。
【図面の簡単な説明】
【００２１】
【図１】実施形態に係る高電圧発生回路を例示する図である。
【図２】実施形態に係る昇圧回路の全体構成を例示する図である。
【図３】実施形態に係る可変パルスと発生電圧の関係を示す第一の図である。
【図４】実施形態に係る可変パルスと発生電圧の関係を示す第二の図である。
【符号の説明】
【００２２】
１１  小型電池
１２  直流昇圧回路
２０  高電圧発生回路
２１  インダクタ
２３  トランジスタ
２５  ダイオード
２６  コンデンサ
２８  可変パルス発生部
３０  電圧調整回路
Ｅ１  直流昇圧回路（１２）の出力
Ｅ２  コンデンサ（２６）の下流側電圧
【図１】
2005185572.tif 000003
【図２】
2005185572.tif 000004
【図３】
2005185572.tif 000005
【図４】
2005185572.tif 000006